(57)【要約】【課題】  燃料を後噴射することによりフィルタを加熱してフィルタの再生制御を行うエンジンの排気浄化装置において、後噴射した燃料に起因するエンジンオイルの希釈の問題を抑制しつつフィルタの再生制御を満足に達成することを課題とする。【解決手段】  エンジン１の排気通路２３に排気ガス中の未燃燃料を燃焼する酸化触媒４２と排気ガス中の微粒子を捕集するフィルタ４５とを備え、フィルタ４５の微粒子捕集量が再生開始捕集量を超えたときは燃料噴射弁１７から圧縮上死点近傍の主噴射に続いて膨張行程ないし排気行程で燃料を後噴射する。これにより後噴射された未燃燃料が酸化触媒４２で燃焼してフィルタ４５を加熱し、捕集した微粒子を燃焼除去する。その場合に、過去に後噴射した燃料に起因するエンジンオイルＯの希釈度合いを推定し、推定した希釈度合いが大きいほどフィルタ４５の再生実行許可領域を縮小して該フィルタ４５の再生制御及び後噴射を抑制する。【選択図】  図１
2005307778.tif 000002
【特許請求の範囲】
【請求項１】
エンジンの燃焼室に燃料を直接噴射する燃料噴射弁と、排気通路に備えられて排気ガス中の微粒子を捕集するフィルタ部材と、上記フィルタ部材より排気通路の上流に備えられて排気ガス中の未燃燃料を燃焼する酸化触媒とを有すると共に、上記フィルタ部材の微粒子捕集量を検出する微粒子捕集量検出手段と、上記検出手段で検出された微粒子捕集量が所定のフィルタ再生開始捕集量より大きくなったときは上記燃料噴射弁から圧縮上死点近傍の主噴射に続いて膨張行程ないし排気行程で燃料を後噴射してフィルタ部材の再生を行うフィルタ再生手段とを備えるエンジンの排気浄化装置であって、エンジンの運転状態を検出する運転状態検出手段と、上記検出手段で検出されたエンジンの運転状態が所定のフィルタ再生実行許可領域にあるときに上記フィルタ再生手段によるフィルタ部材の再生実行を許可するフィルタ再生実行許可手段と、上記フィルタ再生手段で過去に後噴射された燃料に起因するエンジンオイルの希釈度合いを推定する希釈度合い推定手段と、上記推定手段で推定されたエンジンオイルの希釈度合いが大きいほど上記フィルタ再生実行許可領域を縮小するフィルタ再生実行抑制手段とが設けられていることを特徴とするエンジンの排気浄化装置。
【請求項２】
エンジンの燃焼室に燃料を直接噴射する燃料噴射弁と、排気通路に備えられて排気ガス中の微粒子を捕集する機能と排気ガス中の未燃燃料を燃焼する機能とを併せ持つフィルタ部材とを有すると共に、上記フィルタ部材の微粒子捕集量を検出する微粒子捕集量検出手段と、上記検出手段で検出された微粒子捕集量が所定のフィルタ再生開始捕集量より大きくなったときは上記燃料噴射弁から圧縮上死点近傍の主噴射に続いて膨張行程ないし排気行程で燃料を後噴射してフィルタ部材の再生を行うフィルタ再生手段とを備えるエンジンの排気浄化装置であって、エンジンの運転状態を検出する運転状態検出手段と、上記検出手段で検出されたエンジンの運転状態が所定のフィルタ再生実行許可領域にあるときに上記フィルタ再生手段によるフィルタ部材の再生実行を許可するフィルタ再生実行許可手段と、上記フィルタ再生手段で過去に後噴射された燃料に起因するエンジンオイルの希釈度合いを推定する希釈度合い推定手段と、上記推定手段で推定されたエンジンオイルの希釈度合いが大きいほど上記フィルタ再生実行許可領域を縮小するフィルタ再生実行抑制手段とが設けられていることを特徴とするエンジンの排気浄化装置。
【請求項３】
高圧燃料を蓄えて上記高圧燃料を燃料噴射弁に供給するコモンレールを有し、上記コモンレール内の目標燃料圧力がエンジンの運転状態に応じて予め設定されていると共に、フィルタ再生実行抑制手段は、フィルタ再生手段で後噴射された燃料がシリンダ内壁に付着し難いコモンレール内の目標燃料圧力が設定されている運転領域にフィルタ再生実行許可領域を縮小することを特徴とする請求項１又は２に記載のエンジンの排気浄化装置。
【請求項４】
吸気通路に備えられて燃焼室に吸気を過給する過給機を有し、上記過給機の目標過給圧がエンジンの運転状態に応じて予め設定されていると共に、フィルタ再生実行抑制手段は、フィルタ再生手段で後噴射された燃料がシリンダ内壁に付着し難い過給機の目標過給圧が設定されている運転領域にフィルタ再生実行許可領域を縮小することを特徴とする請求項１から３のいずれかに記載のエンジンの排気浄化装置。
【請求項５】
エンジンの運転状態は、エンジン回転数及び負荷であることを特徴とする請求項１から４のいずれかに記載のエンジンの排気浄化装置。
【請求項６】
微粒子捕集量検出手段で検出された微粒子捕集量がフィルタ再生開始捕集量より大きい所定のフィルタ再生警告捕集量より大きくなったときは乗員にフィルタ部材の再生を促すフィルタ再生警告手段と、その状態において希釈度合い推定手段で推定されたエンジンオイルの希釈度合いが所定のオイル交換警告希釈度合いより大きくなったときは乗員にエンジンオイルの交換を促すオイル交換警告手段とが備えられていることを特徴とする請求項１から５のいずれかに記載のエンジンの排気浄化装置。
【請求項７】
フィルタ再生警告手段及びオイル交換警告手段は、同一のワーニングランプで構成され、上記ワーニングランプは、フィルタ部材の再生を促すときとエンジンオイルの交換を促すときとで異なる態様で作動することを特徴とする請求項６に記載のエンジンの排気浄化装置。
【請求項８】
微粒子捕集量検出手段で検出された微粒子捕集量がフィルタ再生開始捕集量より大きい所定のフィルタ再生警告捕集量より大きくなり、かつ、希釈度合い推定手段で推定されたエンジンオイルの希釈度合いが所定のオイル交換警告希釈度合いより大きくなったときは、フィルタ再生手段によるフィルタ部材の再生を禁止するフィルタ再生禁止手段が備えられていることを特徴とする請求項１から７のいずれかに記載のエンジンの排気浄化装置。
【発明の詳細な説明】
【技術分野】
【０００１】
本発明は、エンジンの排気浄化装置、特に、排気通路に排気ガス中の未燃燃料を燃焼する酸化触媒と排気ガス中の微粒子を捕集するフィルタ部材とを備えたエンジンの排気浄化装置に関する。
【背景技術】
【０００２】
従来、ディーゼルエンジン等においては、排気ガス中に含まれるカーボン等の排気微粒子（パティキュレート）が大気中へ放出されるのを抑制するために、エンジンの排気通路にフィルタ部材（いわゆるパティキュレートフィルタ）を備えて、これで排気ガス中の排気微粒子を捕集することが行われている。そして、上記フィルタの微粒子捕集量が所定の捕集量（例えばフィルタの捕集可能限界量に近い捕集量）より大きくなったときは、上記フィルタを加熱して、捕集した排気微粒子を燃焼除去し、これによりフィルタ機能を再生するフィルタの再生制御が行われる。
【０００３】
この場合、フィルタを加熱する手段として電気ヒータやオイルバーナ等を用いることも可能であるが、装置や機器類が増加するので好ましくない。そこで、例えば特許文献１に開示されているように、圧縮上死点近傍で燃料噴射弁から燃焼室に燃料を噴射する主噴射に続いて、膨張行程ないし排気行程で同じく燃料噴射弁から燃焼室に燃料を噴射する後噴射（ポスト噴射）を行うことが知られている。このようにすれば、後噴射された燃料は燃焼室で燃焼することなく未燃燃料として排気通路に排出され、フィルタより排気通路の上流に備えられた酸化触媒に導入されてここで燃焼する。これにより、排気ガスの温度がフィルタの直上流部で上昇し、この高温の排気ガスがフィルタに流入してフィルタが加熱され、フィルタに捕集された排気微粒子が燃焼除去されることとなる。
【０００４】
【特許文献１】特開平８−４２３２６号公報
【発明の開示】
【発明が解決しようとする課題】
【０００５】
しかし、後噴射された燃料は燃焼室での燃焼を企図したものではないから、燃料噴射弁から噴射されたときにシリンダ内壁に付着し、これがシリンダ下方に配置されたオイルパン内のエンジンオイルに混入してエンジンオイルを希釈してしまうという不具合が生じる。もっとも、エンジンオイルに混入した燃料は時間の経過と共にある程度は蒸発するが、フィルタの再生制御が頻繁に行われると、燃料がエンジンオイルから蒸発する量よりも燃料がエンジンオイルに混入する量が差し引き上回って、オイルの希釈度合いが進行し、その結果、エンジンオイルの潤滑性能が低下したり、自動変速機用の油圧作動式摩擦要素の作動具合が低下してしまう。そして、その場合に、オイルの希釈度合いが所定の希釈度合い（例えばオイルの劣化限界値に近い希釈度合い）より大きくなったときに、乗員にエンジンオイルの交換を促すようにすると、オイル交換のインタバルが短くなって、エンジンひいては車両の商品性が低下し、好ましくないのである。
【０００６】
そこで、本発明は、燃料を後噴射することによりフィルタを加熱してフィルタの再生制御を行うタイプのエンジンの排気浄化装置において、後噴射した燃料に起因するエンジンオイルの希釈の問題を抑制しつつ、フィルタの再生制御を十分満足に達成することを課題とする。
【課題を解決するための手段】
【０００７】
上記課題を解決するため、まず、本願の請求項１に記載の発明は、エンジンの燃焼室に燃料を直接噴射する燃料噴射弁と、排気通路に備えられて排気ガス中の微粒子を捕集するフィルタ部材と、上記フィルタ部材より排気通路の上流に備えられて排気ガス中の未燃燃料を燃焼する酸化触媒とを有すると共に、上記フィルタ部材の微粒子捕集量を検出する微粒子捕集量検出手段と、上記検出手段で検出された微粒子捕集量が所定のフィルタ再生開始捕集量より大きくなったときは上記燃料噴射弁から圧縮上死点近傍の主噴射に続いて膨張行程ないし排気行程で燃料を後噴射してフィルタ部材の再生を行うフィルタ再生手段とを備えるエンジンの排気浄化装置であって、エンジンの運転状態を検出する運転状態検出手段と、上記検出手段で検出されたエンジンの運転状態が所定のフィルタ再生実行許可領域にあるときに上記フィルタ再生手段によるフィルタ部材の再生実行を許可するフィルタ再生実行許可手段と、上記フィルタ再生手段で過去に後噴射された燃料に起因するエンジンオイルの希釈度合いを推定する希釈度合い推定手段と、上記推定手段で推定されたエンジンオイルの希釈度合いが大きいほど上記フィルタ再生実行許可領域を縮小するフィルタ再生実行抑制手段とが設けられていることを特徴とする。
【０００８】
また、請求項２に記載の発明は、エンジンの燃焼室に燃料を直接噴射する燃料噴射弁と、排気通路に備えられて排気ガス中の微粒子を捕集する機能と排気ガス中の未燃燃料を燃焼する機能とを併せ持つフィルタ部材とを有すると共に、上記フィルタ部材の微粒子捕集量を検出する微粒子捕集量検出手段と、上記検出手段で検出された微粒子捕集量が所定のフィルタ再生開始捕集量より大きくなったときは上記燃料噴射弁から圧縮上死点近傍の主噴射に続いて膨張行程ないし排気行程で燃料を後噴射してフィルタ部材の再生を行うフィルタ再生手段とを備えるエンジンの排気浄化装置であって、エンジンの運転状態を検出する運転状態検出手段と、上記検出手段で検出されたエンジンの運転状態が所定のフィルタ再生実行許可領域にあるときに上記フィルタ再生手段によるフィルタ部材の再生実行を許可するフィルタ再生実行許可手段と、上記フィルタ再生手段で過去に後噴射された燃料に起因するエンジンオイルの希釈度合いを推定する希釈度合い推定手段と、上記推定手段で推定されたエンジンオイルの希釈度合いが大きいほど上記フィルタ再生実行許可領域を縮小するフィルタ再生実行抑制手段とが設けられていることを特徴とする。
【０００９】
次に、請求項３に記載の発明は、上記請求項１又は２に記載のエンジンの排気浄化装置において、高圧燃料を蓄えて上記高圧燃料を燃料噴射弁に供給するコモンレールを有し、上記コモンレール内の目標燃料圧力がエンジンの運転状態に応じて予め設定されていると共に、フィルタ再生実行抑制手段は、フィルタ再生手段で後噴射された燃料がシリンダ内壁に付着し難いコモンレール内の目標燃料圧力が設定されている運転領域にフィルタ再生実行許可領域を縮小することを特徴とする。
【００１０】
次に、請求項４に記載の発明は、上記請求項１から３のいずれかに記載のエンジンの排気浄化装置において、吸気通路に備えられて燃焼室に吸気を過給する過給機を有し、上記過給機の目標過給圧がエンジンの運転状態に応じて予め設定されていると共に、フィルタ再生実行抑制手段は、フィルタ再生手段で後噴射された燃料がシリンダ内壁に付着し難い過給機の目標過給圧が設定されている運転領域にフィルタ再生実行許可領域を縮小することを特徴とする。
【００１１】
次に、請求項５に記載の発明は、上記請求項１から４のいずれかに記載のエンジンの排気浄化装置において、エンジンの運転状態は、エンジン回転数及び負荷であることを特徴とする。
【００１２】
次に、請求項６に記載の発明は、上記請求項１から５のいずれかに記載のエンジンの排気浄化装置において、微粒子捕集量検出手段で検出された微粒子捕集量がフィルタ再生開始捕集量より大きい所定のフィルタ再生警告捕集量より大きくなったときは乗員にフィルタ部材の再生を促すフィルタ再生警告手段と、その状態において希釈度合い推定手段で推定されたエンジンオイルの希釈度合いが所定のオイル交換警告希釈度合いより大きくなったときは乗員にエンジンオイルの交換を促すオイル交換警告手段とが備えられていることを特徴とする。
【００１３】
次に、請求項７に記載の発明は、上記請求項６に記載のエンジンの排気浄化装置において、フィルタ再生警告手段及びオイル交換警告手段は、同一のワーニングランプで構成され、上記ワーニングランプは、フィルタ部材の再生を促すときとエンジンオイルの交換を促すときとで異なる態様で作動することを特徴とする。
【００１４】
そして、請求項８に記載の発明は、上記請求項１から７のいずれかに記載のエンジンの排気浄化装置において、微粒子捕集量検出手段で検出された微粒子捕集量がフィルタ再生開始捕集量より大きい所定のフィルタ再生警告捕集量より大きくなり、かつ、希釈度合い推定手段で推定されたエンジンオイルの希釈度合いが所定のオイル交換警告希釈度合いより大きくなったときは、フィルタ再生手段によるフィルタ部材の再生を禁止するフィルタ再生禁止手段が備えられていることを特徴とする。
【発明の効果】
【００１５】
まず、請求項１に記載の発明によれば、燃料を後噴射することによりフィルタ部材を加熱してフィルタ部材の再生制御を行うタイプのエンジンの排気浄化装置において、過去に後噴射された燃料に起因するエンジンオイルの希釈度合いを推定し、その希釈度合いが大きいほどフィルタ再生実行許可領域を縮小して、フィルタ部材の再生実行を抑制するようにしたから、燃料が後噴射される機会が低減されて、後噴射した燃料に起因するエンジンオイルの希釈の進行が抑制される。
【００１６】
しかも、フィルタ再生実行許可領域を縮小するだけであるから、フィルタ部材の再生実行が禁止されるわけではなく、フィルタ部材の再生制御も十分満足に達成される。
【００１７】
また、請求項２に記載の発明によれば、上記請求項１に記載の発明が排気通路に酸化触媒とフィルタ部材とをこの順に上流側から別々に備えた構成であったのに対し、排気通路に微粒子捕集機能と酸化触媒機能とを併せ持つフィルタ部材を備えた構成において、上記請求項１に記載の発明と同様の作用効果が得られる。
【００１８】
次に、請求項３及び請求項４に記載の発明によれば、フィルタ部材の再生を実行する場合であっても、エンジンの運転状態が、後噴射された燃料がシリンダ内壁に付着し難い運転領域にあるときに限定して、フィルタ部材の再生を実行するようにしたから、エンジンオイルの希釈の進行がフィルタ部材の再生実行中においても抑制される。
【００１９】
次に、請求項５に記載の発明によれば、エンジンの運転状態として、エンジン回転数と負荷とを採用したから、請求項１及び請求項２で記載されているフィルタ再生実行許可領域や、請求項３で記載されているコモンレール内の目標燃料圧力、あるいは請求項４で記載されている過給機の目標過給圧が、エンジン回転数と負荷とに応じて好適に設定されることとなる。
【００２０】
次に、請求項６に記載の発明によれば、フィルタ部材の微粒子捕集量が例えばフィルタ部材の捕集可能限界量に達する前にフィルタ部材が確実に再生されると共に、エンジンオイルの希釈度合いが例えばオイルの劣化限界値に達する前にエンジンオイルが確実に交換される。
【００２１】
しかも、この場合、エンジンオイルの希釈の進行は抑制されているから、たとえ乗員にエンジンオイルの交換を促すようにしても、オイル交換のインタバルが短くなることがなく、よって当該エンジンひいては車両の商品性が低下することがない。
【００２２】
なお、ここで、フィルタ再生警告手段の動作が、単独で、微粒子捕集量がフィルタ再生警告捕集量より大きくなったときに、フィルタ部材の再生を促すものであるのに対し、オイル交換警告手段の動作が、単独ではなく、上記のように微粒子捕集量がフィルタ再生警告捕集量より大きくなっている状態で、オイル希釈度合いがオイル交換警告希釈度合いより大きくなったときに、エンジンオイルの交換を促すものであるとしたのは、およそ次のような理由による。
【００２３】
すなわち、第１に、もし仮に、オイル交換警告手段の動作が、単独で、オイル希釈度合いがオイル交換警告希釈度合いより大きくなったときに、エンジンオイルの交換を促すものであるとすると、たとえエンジンオイルの希釈の進行が抑制されているとはいえ、オイル交換のインタバルが短くなる傾向があるからである。しかも、第２に、前述したように、エンジンオイルに混入した燃料は時間の経過と共に蒸発するのであるから、たとえ一時的にオイル希釈度合いがオイル交換警告希釈度合いより大きくなったとしても、その後、フィルタ部材の再生制御がしばらくの期間実行されなければ、オイル希釈度合いは自然と改善するのであるから、単にオイル希釈度合いがオイル交換警告希釈度合いより大きくなったからといって直ちにエンジンオイルの交換を促すのは早計であるからである。したがって、フィルタ部材の再生制御が極めて近い将来に開始される可能性のある、微粒子捕集量がフィルタ再生警告捕集量より大きくなっている状態（しかも乗員にフィルタ部材の再生制御の実行を促している状態）のときに限り、エンジンオイルの交換を促すようにしたわけである。
【００２４】
次に、請求項７に記載の発明によれば、乗員にフィルタ部材の再生を促すフィルタ再生警告手段と、乗員にエンジンオイルの交換を促すオイル交換警告手段とを、同一のワーニングランプで構成したから、装置や機器類の増加が回避されて、当該エンジンひいては車両のコストダウンが図られる。
【００２５】
そして、請求項８に記載の発明によれば、エンジンオイルの希釈度合いが例えばオイルの劣化限界値に達するようなときは、フィルタ部材の再生実行を禁止するようにしたから、それ以上のオイルの希釈進行が回避され、オイルの潤滑性能の低下や、油圧作動式摩擦要素の作動具合低下等の問題が抑制される。
【００２６】
しかも、この場合、フィルタ部材の微粒子捕集量が例えばフィルタ部材の捕集可能限界量に達するようなときに限定して、フィルタ部材の再生実行を禁止するようにしたから、フィルタ部材の微粒子捕集量が比較的少ないときは、フィルタ部材の再生実行が禁止されず、その結果、フィルタ部材の再生制御が十分満足に達成される。以下、発明の最良の実施形態を通して、本発明をさらに詳しく説明する。
【発明を実施するための最良の形態】
【００２７】
本実施形態においては、本発明は、図１に示すエンジン１に適用されている。このエンジン１は４気筒ディーゼルエンジンであり、エンジン本体は、上から、シリンダヘッド（及びヘッドカバー）１１、シリンダブロック１２及びオイルパン１３によって外形が形成されている。シリンダブロック１２に設けられたシリンダ（図には４つのうちの１つのみ図示）１４にはピストン１５が上下動自在に挿通され、上記ピストン１５の頂面とシリンダヘッド１１の下面との間に燃焼室１６が形成されている。
【００２８】
シリンダヘッド１１には、上記燃焼室１６に上部から燃料を直接噴射する燃料噴射弁１７が備えられ、該燃料噴射弁１７の噴口を挟むようにあるいは取り囲むように、１つ又は複数の吸気ポート１８（…１８）及び排気ポート１９（…１９）が設けられて、各ポート１８，１９にそれぞれ吸気弁２０及び排気弁２１が配設されている。
【００２９】
吸気ポート１８には吸気通路２２が、排気ポート１９には排気通路２３が接続されている。吸気通路２２には、上流側から下流側に向かって、エアクリーナ３１、エアフローセンサ（吸気量センサ）３２、燃焼室１６に吸気を過給するＶＧＴターボ過給機（バリアブルジオメトリーターボ）３３のブロア３４、インタークーラ３７、吸気絞り弁３８、吸気温度センサ３９、及び過給圧センサ（吸気圧センサ）４０がこの順に配設されている。
【００３０】
一方、排気通路２３には、同じく上流側から下流側に向かって、上記ＶＧＴターボ過給機３３のタービン３５と該タービン３５に流入する排気ガスの流速を制御するための可動ベーン３６、第１排気温度センサ４１、次に説明するパティキュレートフィルタ４５の上流に別に備えられて排気ガス中の未燃燃料を燃焼するための上流側酸化触媒４２、第２排気温度センサ４３、パティキュレートフィルタ４５と同一のケースに収容された下流側酸化触媒４４、排気ガス中の排気微粒子を捕集するためのパティキュレートフィルタ４５、及び第３排気温度センサ４６がこの順に配設されている。そして、パティキュレートフィルタ４５の上流圧と下流圧との差圧を検出することによりパティキュレートフィルタ４５の微粒子捕集量を検出するためのフィルタ上下流差圧センサ４７が設けられている。
【００３１】
また、排気通路２３と吸気通路２２とを接続する排気ガス還流通路５１が設けられ、該還流通路５１には、排気通路２３側から吸気通路２２側に向かって、排気ガスをエンジン冷却水で冷却するＥＧＲクーラ５２、及び負圧アクチュエータ式の排気ガス還流弁５３がこの順に配設されている。
【００３２】
このエンジン１に具備された高圧燃料ポンプ６１は、図外の燃料タンクからの燃料を蓄圧手段としてのコモンレール６２に供給する。コモンレール６２は上記ポンプ６１から供給された高圧燃料を蓄えると共に、各燃料噴射弁１７に接続されて、該燃料噴射弁１７に上記高圧燃料を供給する。コモンレール６２には、該コモンレール６２内の燃料圧力（コモンレール圧）を検出するためのコモンレール圧センサ６３が備えられている。なお、コモンレール６２には、必要に応じて、適宜、コモンレール圧を逃がすためのリリーフ弁等を設けてもよい。
【００３３】
図２に示すように、このエンジン１に具備されたエンジン制御用のコントロールユニット１００は、少なくとも、上記フィルタ上下流差圧センサ４７、コモンレール圧センサ６３、過給圧（吸気圧）センサ４０、図１に示すクランクシャフト２５の回転数を検出するためのエンジン回転数センサ２６、図外の変速機の出力軸の回転数を検出するための車速センサ７１、図外のアクセルペダルの踏込量を検出するためのアクセル開度センサ７２、吸気量センサ３２、吸気温度センサ３９、図１に示すエンジン冷却水の温度を検出するための水温センサ２７、及び排気温度センサ４１，４３，４６等からの検出信号を入力する。
【００３４】
そして、コントロールユニット１００は、入力された上記各検出信号に基づいて、少なくとも、上記高圧燃料ポンプ６１、過給機３３の可動ベーン３６、燃料噴射弁１７、次に説明するワーニングランプ７３、吸気絞り弁３８、及び排気ガス還流弁５３等に制御信号を出力する。
【００３５】
ここで、ワーニングランプ７３は、乗員室内の運転席の近傍に配備されており、パティキュレートフィルタ４５に捕集された排気微粒子の量（微粒子捕集量）Ｍが、後述する所定のフィルタ再生警告捕集量γより大きくなったときには点灯して、乗員にフィルタ４５の再生を促すフィルタ再生警告手段として機能すると共に、その状態（点灯状態）において、図１に示すエンジンオイルＯの希釈度合いＣが、後述する所定のオイル交換警告希釈度合いｋより大きくなったときには点滅して、乗員にオイルＯの交換を促すオイル交換警告手段としても機能する。
【００３６】
上記エンジン制御コントロールユニット１００は、車両の走行中に、パティキュレートフィルタ４５の微粒子捕集量Ｍが所定のフィルタ再生開始捕集量αより大きくなり、かつ、エンジン回転数Ｎが所定の低回転域及び所定の高回転域を除く所定の中回転域にあり、かつ、エンジン負荷Ｑが所定の低負荷域及び所定の高負荷域を除く所定の中負荷域にあるときには、自動的にパティキュレートフィルタ４５の再生制御を実行する。その場合に、パティキュレートフィルタ４５の再生制御は、図３に例示するように、圧縮上死点近傍で燃料噴射弁１７から燃焼室１６に燃料を噴射する主噴射に続いて、膨張行程ないし排気行程で同じく燃料噴射弁１７から燃焼室１６に燃料を所定量だけ追加噴射する後噴射（ポスト噴射）を行うことによって達成される。
【００３７】
これにより、図４（ａ）に例示するように後噴射された燃料は、燃焼室１６で燃焼することなく、図４（ｂ）に例示するように排気弁２１が開いたときに未燃燃料として排気通路２３に排出される。そして、その未燃燃料は、図１に示したパティキュレートフィルタ４５より排気通路２３の上流に備えられた酸化触媒４２，４４に導入されてここで燃焼し、その結果、排気ガスの温度がパティキュレートフィルタ４５の直上流部で上昇し、この高温の排気ガスがパティキュレートフィルタ４５に流入して該フィルタ４５が加熱され、該フィルタ４５に捕集された排気微粒子が燃焼除去されて、該フィルタ４５が再生することとなる。
【００３８】
しかしながら、その場合に次のような不具合が生じる。すなわち、後噴射された燃料は燃焼室１６での燃焼を企図したものではないから、図４（ａ）に符号Ｆで示したように、燃料噴射弁１７から噴射されたときにシリンダ１４の内壁に付着し、これが図４（ｂ）及び図４（ｃ）に示したように、シリンダ１４の下方に配置されたオイルパン１３に貯留されたエンジンオイルＯに混入して、該エンジンオイルＯを希釈してしまうのである。もっとも、エンジンオイルＯに混入した燃料は時間の経過と共にある程度は蒸発するのであるが、パティキュレートフィルタ４５の再生制御（すなわち燃料の後噴射）が頻繁に行われると、燃料がオイルＯから蒸発する量よりも燃料がオイルＯへ混入する量が差し引き上回って、オイルＯの希釈度合いが進行し、その結果、該オイルＯの潤滑性能の低下や、油圧作動式摩擦要素の作動具合の低下等が起こってしまうのである。
【００３９】
そこで、本実施形態においては、燃料を後噴射することによりパティキュレートフィルタ４５を加熱して該フィルタ４５の再生制御を行うタイプのこのエンジン１において、後噴射した燃料に起因するエンジンオイルＯの希釈の問題を抑制しつつ、パティキュレートフィルタ４５の再生制御も十分満足に達成するように対策が講じられている。以下、そのような対策が講じられたフィルタ再生制御の具体的動作の１例を図５及び図６に示すフローチャートを参照して説明する。
【００４０】
まず、図５のステップＳ１で、図２に例示した各種センサからの検出信号を入力して、各種状態量を読み込む。ここで、読み込むべき状態量としては、フィルタ上下流差圧センサ４７で検出されたフィルタ上下流差圧Ｐｘ、コモンレール圧センサ６３で検出されたコモンレール圧Ｐｙ、過給圧センサ４０で検出された過給圧（吸気圧）Ｐｚ、エンジン回転数センサ２６で検出されたエンジン回転数Ｎ、及びエンジン負荷Ｑ等が含まれる。その場合、エンジン負荷Ｑは、本実施形態においては、燃料噴射量要求値で代表される。すなわち、アクセル開度センサ７２で検出されたアクセル開度に応じて要求トルクが算出され、該要求トルクが得られるだけの燃料噴射量が燃料噴射量要求値Ｑとされる。
【００４１】
次いで、ステップＳ２で、フィルタ上下流差圧Ｐｘに基いて、例えばマップ等を利用しながら、パティキュレートフィルタ４５の微粒子捕集量Ｍ（単位は例えばグラム）を算出する。このとき、明らかに、上記差圧（フィルタ４５より上流の排気圧と下流の排気圧との差の絶対値）Ｐｘが大きいほど微粒子捕集量Ｍは大きい値に算出される。
【００４２】
次いで、ステップＳ３で、エンジンオイルＯの希釈度合いＣを読み込む。すなわち、前述したように、フィルタ４５の再生制御によって過去に後噴射された燃料に起因するエンジンオイルＯの希釈の問題が起こるから、そのエンジンオイルＯの希釈度合いＣをここで読み込んでおくのである（現時点でのオイル希釈度合いＣ）。その場合に、このオイル希釈度合いＣは、例えば次のようにして推定することができる。
【００４３】
まず、図７に示すように、ステップＳ３１で、上記ステップＳ１と同様、各種状態量を読み込む。ここで、読み込むべき状態量としては、特に、エンジン回転数Ｎ及びエンジン負荷（燃料噴射量要求値）Ｑである。次いで、ステップＳ３２で、フィルタ４５の再生制御中か否かを判定し、再生制御中のとき（ＹＥＳ）、つまり後噴射が行われており、オイルＯへの燃料の混入が発生しているときは、ステップＳ３３及びＳ３４を実行し、再生制御中でないとき（ＮＯ）、つまり後噴射が行われておらず、オイルＯへの燃料の混入が発生していないときは、上記ステップＳ３３及びＳ３４をスキップして、ステップＳ３５に進む。
【００４４】
ステップＳ３３及びＳ３４では、燃料がオイルＯへ混入する量を算出する。すなわち、ステップＳ３３で、エンジン回転数Ｎ及びエンジン負荷Ｑに基いて、後噴射された燃料に起因するエンジンオイルＯの希釈速度ｖをマップから読み込む。その場合に、図８に例示するように、フィルタ４５の再生時に後噴射された燃料がエンジンオイルＯに混入する速度、つまりオイル希釈速度ｖ（単位は例えばグラム／サイクル時間）が、エンジン１の運転状態（エンジン回転数Ｎとエンジン負荷Ｑ）に応じて予めマップに設定されている。このとき、オイル希釈速度ｖは、例えば後噴射される燃料の量等に応じて変化する。
【００４５】
次いで、ステップＳ３４で、上記オイル希釈速度ｖを時間で積分することにより、後噴射された燃料のオイルＯへの混入量（単位は例えばグラム）を算出する。そして、その値をオイル希釈度合いＣとする（図９参照）。もっとも、この場合、エンジンオイルＯの総量がおよそ分かっているから、燃料の混入量が算出できれば、これらの値からオイル希釈率（％）が定まる（例えば燃料混入量のオイル総量に対する百分率）。よって、このオイル希釈率をオイル希釈度合いＣとすることもできる。
【００４６】
次いで、ステップＳ３５では、燃料がオイルＯから蒸発する量を算出する。すなわち、上記オイル希釈度合いＣから導かれる所定のパラメータｕに基いて、エンジンオイルＯから燃料が蒸発する量Ｊを算出する。その場合に、図１０に例示するように、オイルＯからの燃料蒸発量Ｊ（単位は例えばグラム）が、上記パラメータｕの関数として予め設定されている。このとき、上記誘導パラメータｕは、燃料の蒸発に影響する因子、例えば温度等に応じて変化する。
【００４７】
そして、ステップＳ３６で、上記燃料蒸発量Ｊを差し引くことにより、オイル希釈度合いＣを更新する（図９参照：負帰還）。以上のオイル希釈度合いＣの推定は常時行われ、フィルタ４５の再生制御がしばらくの期間実行されなければ、インプットされるオイル希釈速度ｖがゼロのため、燃料蒸発量Ｊの減算を繰り返すうちに、アウトプットされるオイル希釈度合いＣは徐々にゼロに近づいていく（オイル希釈度合いＣが時間の経過と共に自然に改善していく）。したがって、図５のステップＳ３の実行時期が、例えば前回のフィルタ再生制御からあまり時間が経過していない時期であれば、読み込まれるオイル希釈度合いＣは相対的に大きくなり、逆に前回のフィルタ再生制御からかなり時間が経過している時期であれば、読み込まれるオイル希釈度合いＣは相対的に小さくなる。
【００４８】
図５に戻り、次いで、ステップＳ４で、パティキュレートフィルタ４５の微粒子捕集量Ｍが所定のフィルタ再生終了判定量β以下であるか否かを判定する。その結果、以下であるとき（ＹＥＳ）は、ステップＳ５で、フィルタ再生フラグｆを０にリセットする。これにより、いままでフィルタ再生制御が実行されていた場合は、この時点でフィルタ再生制御が終了する。そしてリターンとなる。
【００４９】
一方、上記ステップＳ４で、パティキュレートフィルタ４５の微粒子捕集量Ｍが再生終了判定量βを超えて大きいとき（ＮＯ）は、ステップＳ６で、上記微粒子捕集量Ｍが所定のフィルタ捕集可能限界量（フィルタ再生警告捕集量）γ（ただしγ＞β）以上であるか否かを判定する。その結果、以上でないとき（ＮＯ）は、ステップＳ７に進み、以上であるとき（ＹＥＳ）は、ステップＳ２１に進む。
【００５０】
ステップＳ７では、ワーニングランプ７３を消灯とし、次いで、ステップＳ８で、上記ステップＳ３で読み込んだエンジンオイルＯの希釈度合いＣが所定のオイル劣化限界値（オイル交換警告希釈度合い）ｋ以上であるか否かを判定する。その結果、以上であるとき（ＹＥＳ）は、ステップＳ９に進み、以上でないとき（ＮＯ）は、ステップＳ１６に進む。これにより、上記ステップＳ８でＹＥＳのときは、図１１に示す微粒子捕集量Ｍとオイル希釈度合いＣとで区分される４つの事象（ｉ）〜（ｉｖ）のうちの第３事象（ｉｉｉ）に区分される。一方、上記ステップＳ８でＮＯのときは、第１事象（ｉ）に区分される。
【００５１】
これらに対し、ステップＳ２１では、ワーニングランプ７３を点灯とし（パティキュレートフィルタ４５の再生警告：具体的には、乗員は、過度に低回転低負荷域で走行せず、後述するフィルタ再生実行許可領域Ａで走行することを促される／または、所定車速以上で走行することを促される）、次いで、ステップＳ２２で、上記ステップＳ３で読み込んだエンジンオイルＯの希釈度合いＣが所定のオイル劣化限界値（オイル交換警告希釈度合い）ｋ以上であるか否かを判定する。その結果、以上であるとき（ＹＥＳ）は、ステップＳ２３に進み、以上でないとき（ＮＯ）は、ステップＳ１６に進む。これにより、上記ステップＳ２２でＹＥＳのときは、図１１に示す微粒子捕集量Ｍとオイル希釈度合いＣとで区分される４つの事象（ｉ）〜（ｉｖ）のうちの第４事象（ｉｖ）に区分される。一方、上記ステップＳ２２でＮＯのときは、第２事象（ｉｉ）に区分される。
【００５２】
まず、第１事象（ｉ）にいるとき（ステップＳ８からステップＳ１６に進んだとき）は、ステップＳ１６で、パティキュレートフィルタ４５の微粒子捕集量Ｍが所定のフィルタ再生開始捕集量α（ただしγ＞α＞β）以上であるか否かを判定する。その結果、以上でないとき（ＮＯ）は、ステップＳ１７で、フィルタ再生フラグｆが１にセットされているか否かを判定し、フラグｆが１にセットされているとき（ＹＥＳ）は、フィルタ再生制御によって捕集量Ｍがαからβに向かって減少している期間中であるから、ステップＳ１９に進む一方、フラグｆが１にセットされていないとき（ＮＯ）は、フィルタ再生制御が開始する前の捕集量Ｍがβからαに向かって増加している期間中であるからリターンとなる。
【００５３】
これらに対し、上記ステップＳ１６で、パティキュレートフィルタ４５の微粒子捕集量Ｍが所定のフィルタ再生開始捕集量α以上であるとき（ＹＥＳ）は、ステップＳ１８で、フィルタ再生フラグｆを１にセットしたのち、ステップＳ１９に進む。
【００５４】
ステップＳ１９では、エンジン回転数Ｎ及びエンジン負荷Ｑ、すなわち現在のエンジン１の運転状態が所定のフィルタ再生実行許可領域Ａにあるか否かを判定する。その場合に、図１２に例示するように、第１事象（ｉ）におけるフィルタ再生実行許可領域Ａが、エンジン１の運転状態（エンジン回転数Ｎとエンジン負荷Ｑ）に応じて予めマップに設定されている。
【００５５】
ここで、上記領域Ａは、基本的に、中回転中負荷域に設定されている。低回転低負荷域は、燃焼室１６から排出される排気ガスの温度が相対的に低いため、後噴射した未燃燃料を酸化触媒４２，４４で燃焼しても、パティキュレートフィルタ４５に流入する排気ガスの温度が微粒子を燃焼除去するのに有効な温度にまで上昇し難いから、上記再生実行許可領域Ａから除外してある。また、高回転高負荷域は、逆に、燃焼室１６から排出される排気ガスの温度が相対的に高いため、あえて未燃燃料を酸化触媒４２，４４で燃焼しなくても、パティキュレートフィルタ４５に流入する排気ガスの温度が微粒子を燃焼除去するのに有効な温度にまですでに上昇しているから、上記再生実行許可領域Ａから除外してある。
【００５６】
そして、上記ステップＳ１９で、フィルタ再生実行許可領域Ａにあるとき（ＹＥＳ）は、ステップＳ２０で、パティキュレートフィルタ４５の再生制御を実行する。すなわち、図３に例示したように、圧縮上死点近傍で燃料噴射弁１７から燃焼室１６に燃料を噴射する主噴射に続いて、膨張行程ないし排気行程で同じく燃料噴射弁１７から燃焼室１６に燃料を所定量だけ追加噴射（後噴射）を行う。そしてリターンとなる。
【００５７】
一方、上記ステップＳ１９で、フィルタ再生実行許可領域Ａにないとき（ＮＯ）は、上記のようなパティキュレートフィルタ４５の再生制御を実行せずに、リターンとなる。この場合、パティキュレートフィルタ４５の微粒子捕集量Ｍは増え続け、そのうち、上記ステップＳ６でＹＥＳと判定されることになる。
【００５８】
次に、第２事象（ｉｉ）にいるとき（ステップＳ２２からステップＳ１６に進んだとき）は、上記第１事象（ｉ）にいるときと同様、ステップＳ１６〜Ｓ２０を実行する。ただし、ステップＳ６でＹＥＳと判定されているから、ステップＳ１６では必ずＹＥＳと判定される（γ＞αである）。また、ステップＳ１９で用いるマップには、図１３に例示するように、第１事象（ｉ）におけるフィルタ再生実行許可領域Ａに比べて、所定の低回転低負荷域も許可領域とした拡大されたフィルタ再生実行許可領域Ａが設定されている。これは、燃費を犠牲にしてでも（前述したように排気ガス温度が低いから排気ガス温度を大きく上昇させるためにより多くの量の後噴射を行う）、パティキュレートフィルタ４５の再生制御をなるべく多くの機会に実行して、該フィルタ４５の目詰りを回避することを企図したものである。
【００５９】
次に、第３事象（ｉｉｉ）にいるとき（ステップＳ８からステップＳ９に進んだとき）は、ステップＳ９〜Ｓ１５を実行する。ここで、ステップＳ９〜Ｓ１２及びＳ１５は、上記第１事象（ｉ）及び第２事象（ｉｉ）にいるときのステップＳ１６〜Ｓ１９及びＳ２０に相当する。ただし、ステップＳ１２で用いるマップには、図１２に例示するように、第１事象（ｉ）におけるフィルタ再生実行許可領域Ａと類似の通常時のフィルタ再生実行許可領域Ａが設定されている。
【００６０】
そして、この第３事象（ｉｉｉ）にいるとき、つまりエンジンオイルＯの希釈度合いＣが所定のオイル劣化限界値（オイル交換警告希釈度合い）ｋより大きいときは、上記フィルタ再生実行許可領域Ａを縮小する。具体的には、ステップＳ１３で、エンジン１の運転状態が、コモンレール圧Ｐｙで規定される所定の希釈抑制運転領域Ｂにあるか否かを判定し、また、ステップＳ１４で、エンジン１の運転状態が、過給圧Ｐｚで規定される所定の希釈抑制運転領域Ｃにあるか否かを判定して、これらのいずれもがＹＥＳのときに限定して、ステップＳ１５で、パティキュレートフィルタ４５の再生制御を実行するのである。
【００６１】
これにより、第１に、パティキュレートフィルタ４５の再生制御をなるべく抑制して、燃料が後噴射される機会を低減し、もって後噴射された燃料に起因するエンジンオイルＯの希釈の進行を抑制することができる。
【００６２】
また、第２に、たとえパティキュレートフィルタ４５の再生制御を実行する場合であっても、エンジン１の運転状態が、後噴射された燃料がシリンダ１４の内壁に付着し難い運転領域にあるときに限定して実行することになって、これにより、エンジンオイルＯの希釈の進行を、フィルタ４５の再生実行中においても抑制することができる。その理由はおよそ次のようなものである。
【００６３】
すなわち、一般に、コモンレール圧が低いほど、燃料噴射の初速が小さくなるから、後噴射された燃料噴霧がシリンダ内壁に到達するまでに要する時間がより長くなり、その結果、燃料噴霧の微粒化・蒸発化が促進されて、後噴射された燃料はシリンダ内壁に付着し難くなり、エンジンオイルの希釈は抑制される。しかし、一方で、コモンレール圧が低いほど、後噴射された燃料噴霧の液滴がより大きくなるから、燃料噴霧の微粒化・蒸発化が促進されず、後噴射された燃料はシリンダ内壁に付着し易くなり、エンジンオイルの希釈は進行する。そして、図１４に例示するように、コモンレール圧Ｐｙが所定圧Ｐ１よりも低くなると、前者の影響よりも後者の影響が大きく現われて、結果的に、後噴射された燃料はシリンダ内壁に付着し易くなり、エンジンオイルの希釈は進行するようになる。
【００６４】
また、一般に、コモンレール圧が高いほど、燃料噴射の初速が大きくなるから、後噴射された燃料噴霧がシリンダ内壁に到達するまでに要する時間がより短くなり、その結果、燃料噴霧の微粒化・蒸発化が促進されず、後噴射された燃料はシリンダ内壁に付着し易くなり、エンジンオイルの希釈は進行する。しかし、一方で、コモンレール圧が高いほど、後噴射された燃料噴霧の液滴がより小さくなるから、燃料噴霧の微粒化・蒸発化が促進されて、後噴射された燃料はシリンダ内壁に付着し難くなり、エンジンオイルの希釈は抑制される。そして、図１４に例示するように、コモンレール圧Ｐｙが所定圧Ｐ２よりも高くなると、後者の影響よりも前者の影響が大きく現われて、結果的に、後噴射された燃料はシリンダ内壁に付着し易くなり、エンジンオイルの希釈は進行するようになる。
【００６５】
したがって、コモンレール圧Ｐｙが上記所定圧Ｐ１より高く上記所定圧Ｐ２より低いときは、後噴射された燃料はシリンダ内壁に付着し難くなり、エンジンオイルの希釈は抑制されるようになる。そして、図１５に例示するように、コモンレール圧Ｐｙの目標値が、エンジン１の運転状態（エンジン回転数Ｎとエンジン負荷Ｑ）に応じて予めマップに設定されている。その場合に、コモンレール圧Ｐｙの目標値は、本実施形態においては、例えば高回転高負荷ほど高い値に設定されている。そして、そのうちの上記所定圧Ｐ１より高く上記所定圧Ｐ２より低い領域が、前述したように、後噴射された燃料がシリンダ内壁に付着し難く、エンジンオイルの希釈が抑制される領域、すなわち第３事象（ｉｉｉ）においてコモンレール圧Ｐｙで規定される希釈抑制運転領域Ｂである。
【００６６】
以上に準じて、一般に、過給圧（吸気圧）が低いほど、燃焼室内の圧力が小さくなるから、後噴射された燃料噴霧の微粒化・蒸発化が促進されて、後噴射された燃料はシリンダ内壁に付着し難くなり、エンジンオイルの希釈は抑制される。しかし、一方で、過給圧が低いほど、後噴射された燃料が未燃のまま燃焼室内に残り易くなるから（後噴射された燃料の燃焼のし易さは、主噴射終了後の燃焼室内圧力と燃焼室内温度とに影響され、過給圧が低いほど後噴射された燃料は燃焼し難くなる）、後噴射された燃料はシリンダ内壁に付着し易くなり、エンジンオイルの希釈は進行する。そして、図１６に例示するように、過給圧（吸気圧）Ｐｚが所定圧Ｐ３よりも低くなると、前者の影響よりも後者の影響が大きく現われて、結果的に、後噴射された燃料はシリンダ内壁に付着し易くなり、エンジンオイルの希釈は進行するようになる。
【００６７】
また、一般に、過給圧が高いほど、燃焼室内の圧力が大きくなるから、後噴射された燃料噴霧の微粒化・蒸発化が促進されず、後噴射された燃料はシリンダ内壁に付着し易くなり、エンジンオイルの希釈は進行する。そして、図１６に例示するように、過給圧Ｐｚが所定圧Ｐ４よりも高くなると、上記の影響が大きく現われて、結果的に、後噴射された燃料はシリンダ内壁に付着し易くなり、エンジンオイルの希釈は進行するようになる。
【００６８】
したがって、過給圧Ｐｚが上記所定圧Ｐ３より高く上記所定圧Ｐ４より低いときは、後噴射された燃料はシリンダ内壁に付着し難くなり、エンジンオイルの希釈は抑制されるようになる。そして、図１７に例示するように、過給圧Ｐｚの目標値が、エンジン１の運転状態（エンジン回転数Ｎとエンジン負荷Ｑ）に応じて予めマップに設定されている。その場合に、過給圧Ｐｚの目標値は、本実施形態においては、例えば高回転高負荷ほど高い値に設定されている。そして、そのうちの上記所定圧Ｐ３より高く上記所定圧Ｐ４より低い領域が、前述したように、後噴射された燃料がシリンダ内壁に付着し難く、エンジンオイルの希釈が抑制される領域、すなわち第３事象（ｉｉｉ）において過給圧Ｐｚで規定される希釈抑制運転領域Ｃである。
【００６９】
以上により、図５のステップＳ１２〜Ｓ１４で、すべてＹＥＳのときは、図１２に示したフィルタ再生実行許可領域Ａが、図１５に示した希釈抑制運転領域Ｂ及び図１７に示した希釈抑制運転領域Ｃに縮小され、その結果、エンジン１の運転状態が、図１８に例示するフィルタ再生実行領域（Ａ＊Ｂ＊Ｃ）にあるときに限定して、パティキュレートフィルタ４５の再生制御が実行される。
【００７０】
次に、第４事象（ｉｖ）にいるとき（ステップＳ２２からステップＳ２３に進んだとき）は、ステップＳ２３で、ワーニングランプ７３を点滅とし（エンジンオイルＯの交換警告：具体的には、乗員は、早期に車両を整備点検に回すことを促される）、次いで、ステップＳ２４で、パティキュレートフィルタ４５の再生制御を禁止する。そしてリターンとなる。
【００７１】
以上、具体例を挙げて詳しく説明したように、本実施形態においては、燃料を後噴射することによりパティキュレートフィルタ４５を加熱して、該フィルタ４５の再生制御を行うように構成されたエンジン１において、過去に後噴射された燃料に起因するエンジンオイルＯの希釈度合いＣを推定し、その希釈度合いＣが大きいほどフィルタ再生実行許可領域Ａを縮小して、パティキュレートフィルタ４５の再生実行を抑制するようにしたから、燃料が後噴射される機会が低減されて、後噴射した燃料に起因するエンジンオイルＯの希釈の進行が抑制される（第３事象（ｉｉｉ））。
【００７２】
しかも、フィルタ再生実行許可領域Ａを縮小するだけであるから、該フィルタ４５の再生実行が禁止されるわけではなく、該フィルタ４５の再生制御も十分満足に達成される。
【００７３】
また、その場合に、パティキュレートフィルタ４５の再生を実行する場合であっても、エンジン１の運転状態が、後噴射された燃料がシリンダ１４の内壁に付着し難い運転領域Ｂ，Ｃにあるときに限定して、パティキュレートフィルタ４５の再生を実行するようにしたから、エンジンオイルＯの希釈の進行がフィルタ４５の再生実行中においても抑制される。
【００７４】
そして、エンジン１の運転状態として、エンジン回転数Ｎとエンジン負荷Ｑとを採用したから、図１２及び図１３に示したフィルタ再生実行許可領域Ａや、図１５に示したコモンレール圧Ｐｙの目標値、あるいは図１７に示した過給圧（吸気圧）Ｐｚの目標値が、エンジン回転数Ｎとエンジン負荷Ｑとに応じて好適に設定されることとなる。
【００７５】
次に、パティキュレートフィルタ４５の微粒子捕集量Ｍが、フィルタ再生開始捕集量αより大きい所定のフィルタ再生警告捕集量γより大きくなったときには、ワーニングランプ７３を点灯させて、乗員にフィルタ４５の再生を促すようにしたから（ステップＳ２１）、フィルタ４５の微粒子捕集量Ｍが例えばフィルタ４５の捕集可能限界量に達する前にフィルタ４５の再生が確実に行われる。
【００７６】
加えて、その状態において、エンジンオイルＯの希釈度合いＣが、所定のオイル交換警告希釈度合いｋより大きくなったときには、ワーニングランプ７３を点滅させて、乗員にエンジンオイルＯの交換を促すようにしたから（ステップＳ２３）、エンジンオイルＯの希釈度合いＣが例えばオイルＯの劣化限界値に達する前にエンジンオイルＯの交換が確実に行われる。
【００７７】
しかも、この場合、エンジンオイルＯの希釈の進行は抑制されているから、たとえ乗員にエンジンオイルＯの交換を促すようにしても、オイル交換のインタバルが短くなることがなく、よって当該エンジン１ひいては車両の商品性が低下することがない。
【００７８】
そして、上記のように、乗員にフィルタ４５の再生を促すフィルタ再生警告手段と、乗員にエンジンオイルＯの交換を促すオイル交換警告手段とを、同一のワーニングランプ７３で構成したから、装置や機器類の増加が回避されて、当該エンジン１ひいては車両のコストダウンが図られる。もっとも、乗員にフィルタ４５の再生を促すためのワーニングランプと、乗員にエンジンオイルＯの交換を促すためのワーニングランプとを、別々に備えるようにしても構わない。
【００７９】
次に、パティキュレートフィルタ４５の微粒子捕集量Ｍが、フィルタ再生開始捕集量αより大きい所定のフィルタ再生警告捕集量γより大きくなり、かつ、エンジンオイルＯの希釈度合いＣが、所定のオイル交換警告希釈度合いｋより大きくなったときには、パティキュレートフィルタ４５の再生実行を禁止するようにしたから（ステップＳ２４：第４事象（ｉｖ））、エンジンオイルＯの希釈度合いＣが、例えばオイルＯの劣化限界値ｋに達するようなときに、それ以上のオイルＯの希釈進行が回避され、もってオイルＯの潤滑性能の低下や、油圧作動式摩擦要素の作動具合低下等の問題が抑制される。
【００８０】
しかも、この場合、パティキュレートフィルタ４５の微粒子捕集量Ｍが、例えばフィルタ４５の捕集可能限界量γに達するようなときに限定して、フィルタ４５の再生実行を禁止するようにしたから、フィルタ４５の微粒子捕集量Ｍが比較的少ないときは（第１事象（ｉ）及び第３事象（ｉｉｉ））、たとえエンジンオイルＯの希釈度合いＣがオイル交換警告希釈度合いｋより大きくなっていても（第３事象（ｉｉｉ））、フィルタ４５の再生実行が禁止されず、その結果、フィルタ４５の再生制御が十分満足に達成される。
【００８１】
以上説明した実施形態は、本発明を実施するための最良の実施形態ではあるが、特許請求の範囲を逸脱しない限り、なお種々の変更が可能なことはいうまでもない。例えば、上記実施形態では、エンジンはディーゼルエンジンであったが、燃焼室に燃料を直接噴射する燃料噴射弁を備えた直噴式のガソリンエンジンであってもよい。ガソリンエンジンにおいても、カーボン等の排気微粒子が排気ガス中に含まれるので、それを捕集するためのパティキュレートフィルタが排気通路に備えられる場合があるからである。
【００８２】
また、上記実施形態では、パティキュレートフィルタ４５の微粒子捕集量Ｍは、排気通路２３に該フィルタ４５をバイパスして設けられた単一のセンサ４７で検出するようにしたが、これに代えて、パティキュレートフィルタ４５の上流及び下流にそれぞれ排気圧センサ（フィルタ上流圧センサ及びフィルタ下流圧センサ）を設けて、両センサの検出圧の差圧に基いて該フィルタ４５の微粒子捕集量Ｍを検出するようにしてもよい。
【００８３】
さらに、パティキュレートフィルタ４５の上流圧と下流圧との差圧に代えて、前回のフィルタ再生制御からの走行距離や走行時間（経過時間）等に基いて、上記フィルタ４５の微粒子捕集量Ｍを検出することも可能である。
【００８４】
また、上記実施形態では、排気通路２３に、上流側酸化触媒４２と、下流側酸化触媒４４と、パティキュレートフィルタ４５とを、この順に上流側から別々に備えたが、これに代えて、排気通路２３に、微粒子捕集機能と酸化触媒機能とを併せ持つ単一のフィルタ部材を備えてもよい。さらに、下流側酸化触媒４４を廃止して、排気通路２３に、上流側酸化触媒４２と、パティキュレートフィルタ４５とを、この順に上流側から別々に備えてもよい。
【００８５】
また、上記実施形態では、乗員にフィルタ４５の再生を促すフィルタ再生警告手段、あるいは乗員にエンジンオイルＯの交換を促すオイル交換警告手段として、ワーニングランプ７３を採用したが、これに代えて、乗員が警告を認知し得る手段であればよく、例えば音声による警告報知や、ナビゲーションシステムのディスプレイによる警告表示等も好ましく採用可能である。
【００８６】
また、上記実施形態では、第３事象（ｉｉｉ）において、フィルタ再生実行許可領域Ａを、コモンレール圧Ｐｙによる希釈抑制運転領域Ｂと、過給圧Ｐｚによる希釈抑制運転領域Ｃとの両方で縮小するようにしたが、これに代えて、いずれか一方の希釈抑制運転領域Ｂ又はＣのみで縮小するようにしてもよい（Ａ＊Ｂ又はＡ＊Ｃ）。
【００８７】
さらに、第３事象（ｉｉｉ）におけるフィルタ再生実行許可領域Ａの縮小を、上記希釈抑制運転領域Ｂ，Ｃによらずに、図１２に示したフィルタ再生実行許可領域Ａを任意に縮小するようにしてもよい。
【００８８】
また、上記実施形態では、エンジン１の運転状態は、回転Ｎと負荷Ｑであったが、これに限らず、例えば車速やアクセル開度等であってもよい。
【産業上の利用可能性】
【００８９】
本発明によれば、燃料を後噴射することによりパティキュレートフィルタを加熱して該フィルタの再生制御を行う方式のエンジンの排気浄化装置において、後噴射した燃料に起因するエンジンオイルの希釈の問題を抑制しつつ、パティキュレートフィルタの再生制御を十分満足に達成することができる。本発明は、排気通路に排気ガス中の未燃燃料を燃焼する酸化触媒と排気ガス中の微粒子を捕集するパティキュレートフィルタとを備えたエンジンの排気浄化装置の技術分野において幅広い産業上の利用可能性を有する。
【図面の簡単な説明】
【００９０】
【図１】本発明の実施の形態に係るエンジンの全体構成図である。
【図２】上記エンジンの制御システム図である。
【図３】上記エンジンでパティキュレートフィルタを再生するため該フィルタを加熱する手段として実行される燃料噴射制御の１例を示すタイムチャートである。
【図４】上記パティキュレートフィルタの再生制御の問題点を説明する動作図である。
【図５】上記問題点を克服した上記実施形態に係るフィルタ再生制御の具体的動作の１例を示すフローチャートの前半部分である。
【図６】同じく後半部分である。
【図７】上記フィルタ再生制御で読み込むオイル希釈度合いの推定動作の具体的１例を示すフローチャートである。
【図８】上記オイル希釈度合いの推定動作で用いるオイル希釈速度（燃料混入速度）のマップ図である。
【図９】上記オイル希釈度合いの推定動作の帰還図（ブロック図）である。
【図１０】上記オイル希釈度合いの推定動作で用いるオイル回復量（燃料蒸発量）のグラフ図である。
【図１１】上記フィルタ再生制御で微粒子捕集量とオイル希釈度合いとで区分される４つの事象（ｉ）〜（ｉｖ）の区分図である。
【図１２】上記事象（ｉ）及び（ｉｉｉ）で用いられる再生実行許可領域のマップ図である。
【図１３】同じく事象（ｉｉ）で用いられる再生実行許可領域のマップ図である。
【図１４】一般に、コモンレール圧と、後噴射した燃料に起因するエンジンオイルの希釈度合い（後噴射した燃料がシリンダ内壁に付着する度合い）との関係を示す説明図である。
【図１５】一般に、過給圧（吸気圧）と、後噴射した燃料に起因するエンジンオイルの希釈度合い（後噴射した燃料がシリンダ内壁に付着する度合い）との関係を示す説明図である。
【図１６】エンジンの運転状態に応じて予め設定されている目標コモンレール圧のマップ図である。
【図１７】エンジンの運転状態に応じて予め設定されている目標過給圧（目標吸気圧）のマップ図である。
【図１８】上記事象（ｉｉｉ）においては、再生実行許可領域が、後噴射した燃料に起因するエンジンオイルの希釈度合い（後噴射した燃料がシリンダ内壁に付着する度合い）が小さい領域に、縮小されていることを示すマップ図である。
【符号の説明】
【００９１】
１          エンジン
１３        オイルパン
１４        シリンダ
１６        燃焼室
１７        燃料噴射弁
２２        吸気通路
２３        排気通路
２６        エンジン回転数センサ（運転状態検出手段）
３３        過給機
３６        可動ベーン
４０        吸気圧センサ
４２，４４  酸化触媒
４５        パティキュレートフィルタ（フィルタ部材）
４７        フィルタ上下流差圧センサ（微粒子捕集量検出手段）
６１        高圧燃料ポンプ
６２        コモンレール
６３        コモンレール圧センサ
７１        車速センサ
７２        アクセル開度センサ（運転状態検出手段）
７３        ワーニングランプ（フィルタ再生警告手段、オイル交換警告手段）
１００      エンジン制御用コントロールユニット（フィルタ再生手段、フィルタ再生実行許可手段、希釈度合い推定手段、フィルタ再生実行抑制手段、フィルタ再生禁止手段）
【図１】
2005307778.tif 000003
【図２】
2005307778.tif 000004
【図３】
2005307778.tif 000005
【図４】
2005307778.tif 000006
【図５】
2005307778.tif 000007
【図６】
2005307778.tif 000008
【図７】
2005307778.tif 000009
【図８】
2005307778.tif 000010
【図９】
2005307778.tif 000011
【図１０】
2005307778.tif 000012
【図１１】
2005307778.tif 000013
【図１２】
2005307778.tif 000014
【図１３】
2005307778.tif 000015
【図１４】
2005307778.tif 000016
【図１５】
2005307778.tif 000017
【図１６】
2005307778.tif 000018
【図１７】
2005307778.tif 000019
【図１８】
2005307778.tif 000020